(57)【特許請求の範囲】
【請求項１】
液晶表示パネルと、この液晶表示パネルの背後に配置され前記液晶表示パネルが支持される保持部材と、この保持部材の背後に配置され光源が実装された回路基板と、この回路基板を前記保持部材の固定部に固着する固定部材とを備え、前記固定部は前記液晶表示パネルの可視範囲に対応した前記保持部材箇所に前記液晶表示パネル側に突出して設けられ、前記固定部に対応した前記液晶表示パネル箇所には不透過性の表示意匠が設けられていることを特徴とする液晶表示装置。
【請求項２】
前記固定部は、円柱形状からなることを特徴とする請求項１に記載の液晶表示装置。
【請求項３】
前記表示意匠は、前記液晶表示パネルの裏面側に設けられていることを特徴とする請求項１または請求項２に記載の液晶表示装置。
【発明の詳細な説明】
【技術分野】
【０００１】
本発明は、液晶表示パネルが保持された保持部材に固定部材を用いて回路基板を固着するようにした液晶表示装置に関するものである。
【背景技術】
【０００２】
液晶表示パネルを用いた表示装置として、例えば特許文献１がある。特許文献１には、液晶ディスプレイ６（液晶表示パネル）が保持されたリフレクタユニット１３（保持部材）の背後にランプ２３が実装された回路基板２２が配置され、液晶ディスプレイ６の前面側がクリアカバー７で覆われた表示装置が記載されている。この様な表示装置に於ける回路基板２２は、図示されていないが、ビスによってリフレクタユニット１３にねじ止め固定されることが多い。特許文献１に於いては、ねじ止め固定される箇所は液晶ディスプレイ６の可視範囲外である枠部用リフレクタ１５或いはフレーム１７が一般的である。
【０００３】
しかし、液晶ディスプレイ６が大きい（表示領域が広い）表示装置の場合には、回路基板２２やリフレクタユニット１３が振動で振れやすく、それを抑えるためにはねじ止め箇所が液晶ディスプレイ６の可視範囲に対応した位置にも必要となる。ねじ止めする際は、ねじの長さ以上の固定部が必要となるため、ディスプレイ用リフレクタ１４の前面側（液晶ディスプレイ６側）に突出する固定部を設けなければならない。
【特許文献１】特開２００６−５８３８２号公報
【発明の開示】
【発明が解決しようとする課題】
【０００４】
しかしながら、液晶ディスプレイ６の可視範囲の背後に固定部が突出していると、ランプ２３が点灯して液晶ディスプレイが透過照明される際、特に固定部の真上付近の液晶ディスプレイ（液晶表示パネル）箇所が少し暗くなりやすく、表示装置の視認性が低下してしまう虞がある。
【０００５】
本発明は、この様な点に鑑みなされたもので、液晶表示パネルの背後に配置され液晶表示パネルの可視範囲に対応した保持部材箇所に回路基板を固着するための固定部が突設してあっても、均一に照明することが可能な液晶表示装置を提供することを目的とする。
【課題を解決するための手段】
【０００６】
本発明は前記目的を達成するため、液晶表示パネルと、この液晶表示パネルの背後に配置され前記液晶表示パネルが支持される保持部材と、この保持部材の背後に配置され光源が実装された回路基板と、この回路基板を前記保持部材の固定部に固着する固定部材とを備え、前記固定部は前記液晶表示パネルの可視範囲に対応した前記保持部材箇所に前記液晶表示パネル側に突出して設けられ、前記固定部に対応した前記液晶表示パネル箇所には不透過性の表示意匠が設けられているものである。
【０００７】
また、前記固定部は、円柱形状からなるものである。
【０００８】
また、前記表示意匠は、前記液晶表示パネルの裏面側に設けられているものである。
【発明の効果】
【０００９】
液晶表示パネルの背後に配置され液晶表示パネルの可視範囲に対応した保持部材箇所に回路基板を固着するための固定部が突設してあっても、均一に照明することが可能な液晶表示装置を得ることができる。
【発明を実施するための最良の形態】
【００１０】
図１は、本発明の実施形態を示す液晶表示装置の正面図であり、図２は液晶表示装置の部分断面図（図１に於けるＡ−Ａ断面）である。
【００１１】
液晶表示装置は、液晶表示パネル１と、この液晶表示パネル１の裏面側に配置され光透過性を有する白色の拡散板２と、液晶表示パネル１および拡散板２が支持される保持部材３と、この保持部材３の背後に配置され液晶表示パネル１および拡散板２を背後から照明する光源としての複数の発光ダイオード４が実装された硬質の回路基板５と、液晶表示パネル１や保持部材３を回路基板５に固定するための金属製の押さえ枠６と、液晶表示パネル１や回路基板５などが収納される上ケース７Ａおよび下ケース７Ｂからなるケース７と、回路基板５および下ケース７Ｂを保持部材３に固着するための固定部材としてのビス８などを備えている。
【００１２】
液晶表示パネル１は、図示しないが前側ガラス基板と後側ガラス基板との間に液晶分子を封入し、前側ガラス基板の表側に前側偏光膜を貼り、後側ガラス基板の裏側に後側偏光膜を貼ったものである。そして、各ガラス基板に設けた図示しない電極部に外部測定量に応じた信号（電圧）が印加されると、車両の作動状態（例えば車両の速度やエンジン回転数、或いは燃料残量）などが表示される液晶表示部９が黒色で現れるようになっている。
【００１３】
また、液晶表示パネル１には液晶表示部９以外に表示意匠１０が設けられている。この表示意匠１０は、車両の速度などを表示する液晶表示部９とは異なるもので、液晶表示部９の一部である例えば速度表示部９Ａと燃料残量表示部９Ｂとを区分けするものであったり、液晶表示部９の周囲を縁取るものであるなど、装飾的な意味合いを持ち、常時視認されるものである。本実施形態に於ける表示意匠１０は、速度表示部９Ａを囲むように設けてあり、液晶表示パネル１の裏面側である後側ガラス基板の裏側（回路基板５側）に不透過性である黒色で印刷してある。なお、図１に於いては速度表示部９Ａと燃料残量表示部９Ｂ以外の液晶表示部は記載を省略してある。
【００１４】
上ケース７Ａは、液晶表示パネル１の前方側に配置され無色透明な合成樹脂からなる透視板１１と、この透視板１１の周囲に一体的に形成された覆い部１２および側壁１３を有している。この覆い部１２および側壁１３は例えば黒色の合成樹脂からなり、ケース７の内部が見えないようにしてある。また、覆い部１２の透視板１１ぎわには液晶表示パネル１側に突出した垂壁１４が一体に設けてあり、ケース７の内部をより見えにくくすると共に、この垂壁１４によって液晶表示パネル１の可視範囲が定められている。即ち、垂壁１４で囲まれた透視板１１に対応した液晶表示パネル１領域が可視範囲となる。
【００１５】
保持部材３は例えば白色の合成樹脂からなり、液晶表示パネル１および拡散板２の周縁が載置される載置部１５と、周壁１６と、底壁１７などを有している。底壁１７には、回路基板５に実装された発光ダイオード４を臨ませる開口穴１８が発光ダイオード４に対応して設けられている。また、液晶表示パネル１の可視範囲に対応した底壁１７箇所には固定部１９が設けてある。固定部１９は、回路基板５および下ケース７Ｂを保持部材３に固着するために底壁１７から液晶表示パネル１側に突設したもので、円柱形状からなる。なお、この固定部１９と前述した表示意匠１０との位置関係であるが、固定部１９に対応した液晶表示パネル１箇所に表示意匠１０が位置するようになっている。
【００１６】
下ケース７Ｂは例えば黒色の合成樹脂からなり、周縁部が例えばビス８Ａによって上ケース７Ａの取付ボス２０に固着されている。また、下ケース７Ｂには周縁部以外にも固着用の取付部２１が設けてある。この取付部２１は、保持部材３に設けられている固定部１９に対応しており、ビス８のねじ部が挿通される取付孔２２が設けてある。
【００１７】
回路基板５も下ケース７Ｂの外形とほぼ同形であり、下ケース７Ｂと同様に、図２に示す様に周縁部が上ケース７Ａの取付ボス２０に固着されている。また、回路基板５は保持部材３に設けられている固定部１９にも固着されるようになっており、ビス８のねじ部が挿通される取付孔２２Ａが設けてある。
【００１８】
液晶表示装置の組み付けは次の様にして行う。回路基板５上に保持部材３，拡散板２，液晶表示パネル１を載置した後、液晶表示パネル１の前方側より保持部材３の周壁１６に沿うようにして押さえ枠６を装着する。そして、押さえ枠６周囲の複数箇所に設けてある脚部２３を回路基板５に設けてある孔（図示せず）に挿入して折り曲げる。この様にすることによって、液晶表示パネル１の周縁が押さえ枠６の縁部２４で押さえられると共に、液晶表示パネル１および保持部材３が回路基板５に固着される。なお、図示しないが液晶表示パネル１と回路基板５との電気的な接続は、導電ゴムあるいは金属製の端子などを用いて行う。
【００１９】
次に、回路基板５および下ケース７Ｂの周縁部を、前述した様に上ケース７Ａの取付ボス２０にビス８Ａによって固着する。また、ビス８を下ケース７Ｂに設けてある取付孔２２および回路基板の取付孔２２Ａに挿入して保持部材３に設けられた固定部１９にねじ止めする。このねじ止めによって、回路基板５および下ケース７Ｂが固定部１９に固着されるものである。
【００２０】
この様に構成された液晶表示装置に於いて、例えば白色で発光する発光ダイオード４が点灯すると、液晶表示パネル１は拡散板２を透過した光を背後から受けて表示意匠１０および液晶表示部９以外が白色で透過照明される。その際、保持部材３の固定部１９が液晶表示パネル１側に突出していることによって、固定部１９の真上付近の液晶表示パネル１箇所が少し暗くなりやすいが、固定部１９に対応した液晶表示パネル１箇所に不透過性の表示意匠１０が設けられているために照明ムラが発生しにくく、液晶表示パネル１全体を均一に照明することが可能となる。
【００２１】
また、固定部１９をビス８の外形と相似形である円柱形状とすることにより、液晶表示パネル１の表示意匠１０に対向する固定部１９の径を極力小さくし、照明ムラを押さえることができる。また、固定部１９の先端を面取りすれば、一層照明ムラが発生しにくくなる。また、表示意匠１０が液晶表示パネル１の裏面側である後側ガラス基板の裏側に設けてあり、不透過性の表示意匠１０を固定部１９に近い側とすることで照明ムラがより発生しにくくなる。この表示意匠１０は、液晶表示パネル１の裏面側である後側偏光膜の裏側（回路基板５側）に設けても良い。
【００２２】
なお、前記実施形態に於いては、下ケース７Ｂもビス８によって保持部材３の固定部１９に固着するようにしたが、固定部１９には少なくとも回路基板５が固着されるようになっていれば良い。また、上ケース７Ａの垂壁１４で液晶表示パネル１の可視範囲が定まるようにしたが、押さえ枠６の縁部２４によって液晶表示パネル１の可視範囲が定まるようにしても良い。また、固定部１９の形状は、断面が真円に限らず楕円などであっても良い。
【図面の簡単な説明】
【００２３】
【図１】本発明の実施形態を示す液晶表示装置の正面図。
【図２】同液晶表示装置の部分断面図（図１に於けるＡ−Ａ断面）。
【符号の説明】
【００２４】
１  液晶表示パネル
３  保持部材
４  発光ダイオード（光源）
５  回路基板
８  ビス（固定部材）
１０  表示意匠
１９  固定部
【図１】
0004919167.tif 000002
【図２】
0004919167.tif 000003